(57)【要約】      （修正有）【課題】連続滑車構造を組み込み、昇降フロアを円滑かつ安定的に昇降する。【解決手段】昇降装置１は、枠状の基台１０であって複数の固定シーブを有する基台１０と、基台１０内に昇降自在に配置した複数の可動シーブを有する昇降フロア２０と、基台１０に付設したドラム部を有する昇降手段３０と、昇降フロア２０を吊下可能な一端をドラム部に巻回した複数の索状体４０と、を備え、複数の索状体４０の少なくとも１本を、ドラム部から基台１０の前方に延出し、複数の固定シーブ及び複数の可動シーブに掛けわたして基台１０又は昇降フロア２０に固定し、複数の索状体４０の他の少なくとも１本を、ドラム部３２から基台１０の後方に延出し、複数の固定シーブ及び複数の可動シーブに掛けわたして基台１０又は昇降フロア２０に固定し、昇降手段３０の駆動によって、複数の索状体４０を介して昇降フロア２０を昇降可能に構成する。【選択図】図１
2020138829.tif 000002
【特許請求の範囲】
【請求項１】
枠状の基台であって複数の固定シーブを有する基台と、
前記基台内に昇降自在に配置した昇降フロアであって複数の可動シーブを有する昇降フロアと、
前記基台に付設した昇降手段であってドラム部を有する昇降手段と、
前記昇降フロアを吊下可能な複数の索状体であって一端を前記ドラム部に巻回した複数の索状体と、を備え、
前記複数の索状体の少なくとも１本を、前記ドラム部から前記基台の前方に延出し、前記複数の固定シーブ及び前記複数の可動シーブに掛けわたして前記基台又は前記昇降フロアに固定し、
前記複数の索状体の他の少なくとも１本を、前記ドラム部から前記基台の後方に延出し、前記複数の固定シーブ及び前記複数の可動シーブに掛けわたして前記基台又は前記昇降フロアに固定し、
前記昇降手段の駆動によって、前記複数の索状体を介して前記昇降フロアを昇降可能に構成したことを特徴とする、
昇降装置。
【請求項２】
前記複数の可動シーブを、前記昇降フロアの幅方向両側に沿って前記昇降フロアの前後方向に複数配列したことを特徴とする、請求項１に記載の昇降装置。
【請求項３】
前記基台の前方に延出する前記索状体と前記基台の後方に延出する前記索状体とを同一の前記昇降手段のドラム部に巻回し、前記基台の前方に延出する前記索状体の前記ドラム部への巻回方向が、前記基台の後方に延出する前記索状体の前記ドラム部への巻回方向と同一であることを特徴とする、請求項１又は２に記載の昇降装置。
【請求項４】
前記昇降フロアの両側から外側方向又は前記基台の両側から内側方向へ突出可能な複数のアウトリガーを備え、突出した前記複数のアウトリガーを介して、前記昇降フロアの荷重を前記基台に伝達可能に構成したことを特徴とする、請求項１乃至３のいずれか一項に記載の昇降装置。
【請求項５】
前記索状体における前記基台若しくは前記昇降フロアへの固定端又は前記索状体の中間に、前記索状体の配設長さを調整可能なアジャスタを備えることを特徴とする、請求項１乃至４のいずれか一項に記載の昇降装置。
【請求項６】
前記基台及び／又は前記昇降フロアに、前記基台内における前記昇降フロアの水平方向の揺動を規制するガイド手段を備えることを特徴とする、請求項１乃至５のいずれか一項に記載の昇降装置。
【発明の詳細な説明】
【技術分野】
【０００１】
本発明は昇降装置に関し、特に連続滑車構造を組み込んだ合理的設計により昇降フロアを円滑かつ安定的に昇降可能な昇降装置に関する。
【背景技術】
【０００２】
複数階層に作業域を有する建設工事において、トラックなどの車両を低層から高層へ、又は高層から低層へ移動させるための昇降装置が利用されている。
従来技術の昇降装置として、基台内を昇降する昇降床によって車両を昇降する昇降装置が開発されている。これは基台上に設けた複数の電動ウィンチによって、昇降床に固定したワイヤロープを介して昇降床を吊り上げて昇降させる構造である。
【発明の概要】
【発明が解決しようとする課題】
【０００３】
従来の昇降装置には次のような欠点がある。
＜１＞電動ウィンチが昇降床の荷重を直接負担する構造であるため、吊り上げ能力の高い大型電動ウィンチに大径のワイヤロープを組み合わせ、電動ウィンチを複数基設置する必要がある。このため、装置全体の設計が大型・厚肉となるので製造コストが嵩む。また、装置が大型で重量が大きいため、移動能力が低く施工性が悪い。
＜２＞ワイヤロープを昇降床の前後端に直接固定する構造であり、床版上の支点間距離が大きいため、床版に十分な厚みがないと床版の自重及び積載物の荷重によって床版が撓むおそれがある。一方、床版を厚く設計すると昇降床が重くなるため、これを吊る電動ウィンチも大型化し、結果として装置全体が大型・厚肉の設計となり、製造コストが嵩む。
＜３＞複数のウィンチを同調させるのが容易でなく、ワイヤロープの繰り出し長に差が生じる可能性がある。繰り出し長に差が生じると、作業床が傾いたり特定のワイヤロープに荷重が集中して破断するなどのおそれがある。
【０００４】
本発明の目的は、従来技術の課題を解決可能な昇降装置を提供することにある。
【課題を解決するための手段】
【０００５】
本発明の昇降装置は、枠状の基台であって複数の固定シーブを有する基台と、基台内に昇降自在に配置した昇降フロアであって複数の可動シーブを有する昇降フロアと、基台に付設した昇降手段であってドラム部を有する昇降手段と、昇降フロアを吊下可能な複数の索状体であって一端をドラム部に巻回した複数の索状体と、を備え、複数の索状体の少なくとも１本を、ドラム部から基台の前方に延出し、複数の固定シーブ及び複数の可動シーブに掛けわたして基台又は昇降フロアに固定し、複数の索状体の他の少なくとも１本を、ドラム部から基台の後方に延出し、複数の固定シーブ及び複数の可動シーブに掛けわたして基台又は昇降フロアに固定し、昇降手段の駆動によって、複数の索状体を介して昇降フロアを昇降可能に構成したことを特徴とする。
この構成によれば、組み合わせ滑車構造によって昇降フロアを小さな力で昇降させることができる。また、複数の可動シーブを介して昇降フロアを多点で吊り上げるため、安定した昇降が可能となる。
【０００６】
本発明の昇降装置は、複数の可動シーブを、昇降フロアの幅方向両側に沿って昇降フロアの前後方向に複数配列してもよい。
この構成によれば、昇降フロア長手方向における可動シーブの支点間距離を小さくすることで、フロア本体の撓み変形を防止することができる。
【０００７】
本発明の昇降装置は、基台の前方に延出する索状体と基台の後方に延出する索状体とを同一の昇降手段のドラム部に巻回し、基台の前方に延出する索状体のドラム部への巻回方向が、基台の後方に延出する索状体のドラム部への巻回方向と同一であってもよい。
この構成によれば、前後二方向の索状体の動きを１つのドラム部に機械的に同調させることで、簡易な構造でもって昇降フロアを円滑かつ効率的に昇降させることができる。
【０００８】
本発明の昇降装置は、昇降フロアの両側から外側方向又は基台の両側から内側方向へ突出可能な複数のアウトリガーを備え、突出した複数のアウトリガーを介して、昇降フロアの荷重を基台に伝達可能に構成してもよい。
この構成によれば、昇降フロアの荷重を桁材に受け替えることで、索状体の伸長による昇降フロアの沈下を防止して昇降フロアを安定的に支持することができる。すなわち、例えば昇降フロア上に複数の車両を積載する場合、積載済みの車両の荷重によって索状体が伸びて昇降フロアが沈下し、乗り込み口との間に段差が生じることで、後続する車両が乗り込み難くなる事態を回避することができる。
【０００９】
本発明の昇降装置は、索状体における基台若しくは昇降フロアへの固定端又は索状体の中間に、索状体の配設長さを調整可能なアジャスタを備えてもよい。
この構成によれば、伸長による索状体間の長さ差をアジャスタによって微調整して吸収することができる。
【００１０】
本発明の昇降装置は、基台及び／又は昇降フロアに、基台内における昇降フロアの水平方向の揺動を規制するガイド手段を備えていてもよい。
この構成によれば、昇降フロアの円滑な昇降が可能となるとともに、設置場所に勾配がある場合であっても昇降フロアを昇降軌道に沿って昇降させることできる。
【発明の効果】
【００１１】
本発明の昇降装置は、以上の構成を有するため、次の効果の少なくともひとつを備える。
＜１＞多数の固定シーブと可動シーブの組み合わせからなる合理的設計によって昇降フロアの荷重の一部を基台に分担させることで、昇降フロアを小さな力で昇降させることができる。このため、従来技術に比べて昇降手段を小型化して設置数を減らすことで、製造コストを大幅に削減することができる。
＜２＞複数の可動シーブを介して昇降フロアを多点で吊り上げる構造であり、フロア本体上の支点間距離が小さいため、フロア本体が撓みにくい。このため、フロア本体を薄型化・軽量化できるとともに、昇降手段の小型化、索状体の細径化、基台を構成する鋼材の薄肉化等によって、装置全体の軽量化を図ることができる。
＜３＞複数の可動シーブを介して昇降フロアを多点で吊り上げるため、昇降フロアを安定的かつ円滑に昇降させることができる。
＜４＞複数の索状体を単一の昇降手段に連結することで、各索状体の繰り出し量を機械的に同調させることができる。このため、昇降フロアを水平に維持しつつ昇降させることができる。
【図面の簡単な説明】
【００１２】
【図１】本発明に係る昇降装置の説明図。
【図２】本発明に係る昇降装置の説明図。
【図３】昇降手段の説明図。
【図４】昇降作業の説明図。
【発明を実施するための形態】
【００１３】
以下、図面を参照しながら本発明の昇降装置について詳細に説明する。
なお本発明において「上下」「左右」「前後」「高さ方向」「幅方向」「奥行き方向」等の方位は、昇降装置を地上に配置して供用している状態において、昇降装置を昇降フロアへの搭乗方向から正面視した各方位、すなわち図２における各方位を意味する。
【実施例１】
【００１４】
[昇降装置]
＜１＞全体の構成（図１、２）。
本発明の昇降装置１は、昇降手段３０によって作業台又は車両走行路たる昇降フロア２０を昇降可能な装置である。
本例では、昇降フロア２０がトラック等の車両を昇降可能な走行路である例について説明する。ただし昇降装置１の使用態様は上記に限らず、少なくとも建設工事用途であれば土木工事／建築工事を問わず他の様々な使用態様に使用することができる。また、建設工事用途以外の用途にも適用することができる。
昇降装置１は、基台１０と、昇降フロア２０と、昇降手段３０と、複数の索状体４０と、を少なくとも備える。
昇降フロア２０は、枠状の基台１０の内部に昇降自在に配置する。
昇降手段３０は、基台１０の上部に配置する。
複数の索状体４０は、それぞれ一端を昇降手段３０と接続し、他端を昇降フロア２０に掛け渡した後に基台１０内に固定する。
以上の構造より、昇降手段３０の駆動によって、索状体４０を介して昇降フロア２０を昇降させることができる。
【００１５】
＜２＞基台。
基台１０は、昇降フロア２０の荷重を支持する構成要素である。
基台１０は、枠状のフレーム１１と、フレーム１１の上部に設けた複数の固定シーブ１２と、を少なくとも備える。
本例ではフレーム１１として、形鋼の組み合わせからなる正面視略門型の枠状体を採用する。より詳しくは、梁材１１ａと支柱１１ｂを組んでなる複数の門型部材を、複数の桁材１１ｃで奥行き方向に相互に連結して構成する。
本例では、フレーム１１の奥行き方向中間部の２つの梁材１１ａの間に、索状体４０の最終端を固定する固定梁１１ｄを配置する。
昇降フロア２０に後述するアウトリガー２６を設ける場合には、昇降フロア２０を支持する高さに合わせて桁材１１ｃを複数段設ける。
本例では、下段の桁材１１ｃの下部に複数の移動用の車輪１４を備える。但し、車輪１４は必須の構成要素ではない。
【００１６】
＜２．１＞固定シーブ。
固定シーブ１２は、後述する可動シーブ２４と共に組み合わせ滑車構造を構成する部材である。
本例では固定シーブ１２は、フレーム１１の最前列及び最後列の梁材１１ａ上の両端部に設けた計４つの上固定シーブ１２ａと、フレーム１１の左右両肩部の桁材１１ｃの下部にそれぞれ４つずつ設けた計８つの下固定シーブ１２ｂと、からなる。
各固定シーブ１２は輪軸がフレーム１１の幅方向に対応し、輪溝がフレーム１１の前後方向に対応する。
【００１７】
＜３＞昇降フロア。
昇降フロア２０は、基台１０内を昇降自在な構成要素である。
昇降フロア２０は、矩形面状のフロア本体２１と、複数の可動シーブ２４と、を少なくとも備える。昇降フロア２０の前後方向、すなわちフロア本体２１の長手方向が車両の走行路となる。
本例では、フロア本体２１の両側辺に沿って２つの欄部２２を設け、複数の可動シーブ２４は欄部２２上に配置する。ただしこれに限らず、欄部２２を設けず、可動シーブ２４をフロア本体２１上に直接設置してもよい。
【００１８】
＜３．１＞可動シーブ。
可動シーブ２４は、固定シーブ１２と共に後述する組み合わせ滑車構造を構成する部材である。ここで「可動」とは、固定シーブ１２に対して輪軸が固定されていないいわゆる動滑車であることを意味するものであって、フロア本体２１に対して可動であるという意味ではない。
可動シーブ２４は、昇降フロア２０の幅方向両側に沿って、昇降フロア２０の前後方向に所定間隔で配列する。
本例では、２つの欄部２２上に所定間隔でそれぞれ４つ計８つの可動シーブ２４を上向きに設置する。
各可動シーブ２４は輪軸がフロア本体２１の幅方向に対応し、輪溝がフロア本体２１の前後方向に対応する。
【００１９】
＜３．２＞アウトリガー。
昇降フロア２０は、昇降フロア２０の荷重を桁材１１ｃ上に受け替えるためのアウトリガー２６を備えていてもよい。
本例では、アウトリガー２６として昇降フロア２０の欄部２２に固定した油圧シリンダと、昇降フロア２０の側方から外側へ向けて進退自在なアームの組み合わせを採用し、アウトリガー２６を欄部２２の長手方向に沿って所定間隔で各４つ、計８つ付設する。
フロア本体２１上での作業時には、アウトリガー２６のアームを外側に突出させて基台１０の桁材１１ｃ上に配置し、昇降フロア２０の荷重を基台１０に受け替える。
昇降フロア２０の昇降時には、アウトリガー２６のアームを短縮して桁材１１ｃ上から後退させる。
なお、アウトリガー２６の構成や数は上記に限られない。
例えばアウトリガー２６の駆動機構として、電動シリンダやスクリュージャッキ等を採用してもよい。
また、アウトリガー２６を欄部２２ではなく、基台１０両側の桁材１１ｃ上に設け、桁材１１ｃ上から昇降フロア２０の下部にアームを突出させて昇降フロア２０の荷重を受け替える構成としてもよい。
あるいはアウトリガー２６を進退式ではなく、電動機によるアームの水平回動式とし、欄部２２から桁材１１ｃ上へ、又は桁材１１ｃから昇降フロア２０下へ、アームを水平に回動して延出可能な構成にしてもよい。
要は作業員の操作によって、昇降フロア２０の荷重を桁材１１ｃ上に受け替え可能な構成であればよい。
【００２０】
＜４＞昇降手段（図３）。
昇降手段３０は、索状体４０の巻き上げと巻き出しによって昇降フロア２０を昇降させる構成要素である。
昇降手段３０は、ドラム部３２と、ドラム部３２を回転駆動させる駆動部３１と、を少なくとも備える。
本例では昇降手段３０として電動ウィンチを採用し、単一の昇降手段３０によって前後両方向の索状体４０を巻き上げ・巻き出し可能な構成とする。
昇降手段３０は、ドラム部３２のドラム軸が基台１０の幅方向に対応する向きで基台１０上に固定する。
ただし昇降手段４０の構成や数は上記に限らず、例えば複数の昇降手段３０前後の索状体４０を分担してもよい。
【００２１】
＜４．１＞ドラム部。
本例では、ドラム部３２が、同軸かつ同方向に回転可能な、第一ドラム３２ａ、第二ドラム３２ｂ、第三ドラム３２ｃ、及び第四ドラム３２ｄを備える。
第一ドラム３２ａ及び第二ドラム３２ｂは駆動部３１の一側に、第三ドラム３２ｃ及び第四ドラム３２ｄは駆動部３１の他側に並列する。
各ドラムには、それぞれ独立した索状体４０の一端を巻回する。
各ドラムへの索状体４０の巻回方向は同一方向である。ここで「巻回方向」とは、ドラム部３２の回転軸に対して索状体４０を巻き付ける周方向の向きを意味する。
【００２２】
＜５＞索状体。
索状体４０は、昇降フロア２０を吊下する構成要素である。
本例では、索状体４０として４本のワイヤロープを採用する。ただし索状体４０はワイヤロープに限らず、ローラーチェンや鎖等であってもよい。
索状体４０は、一端を昇降手段３０のドラム部３２に巻回し、他端を昇降フロア２０内を経由して基台１０内に固定する。
本例では、第一ドラム３２ａ及び第四ドラム３２ｄの索状体４０を、それぞれ基台１０の前方へ延出し、上固定シーブ１２ａ及び下固定シーブ１２ｂを経由して下方へ向きを変え、昇降フロア２０の可動シーブ２４に掛け渡す。
その後、順次他の下固定シーブ１２ｂ及び可動シーブ２４に掛け渡し、最終端をフレーム１１中間部の固定梁１１ｄに固定する。
一方、第二ドラム３２ｂ及び第三ドラム３２ｃの索状体４０は、それぞれ基台１０の後方へ延出し、第一ドラム３２ａ及び第四ドラム３２ｄの索状体４０と同様の経路を経て最終端を固定梁１１ｄに固定する。
なお、索状体４０の延出方向の組み合わせは一例にすぎず、索状体４０を相対する二方向に延出してさえいれば、他の組み合わせであってもよい。
また、索状体４０の最終端の固定先は固定梁１１ｄに限らず、梁材１１ａ、支柱１１ｂ、あるいは桁材１１ｃ等であってもよい。又はフレーム１１ではなく昇降フロア２０に固定してもよい。要は基台１０又は昇降フロア２０の適宜の箇所に固定していればよい。
【００２３】
＜６＞ガイド手段。
本発明の昇降装置１は、昇降時における昇降フロア２０の水平方向の揺動を規制するガイド手段を備えていてもよい。
本例ではガイド手段として、基台１０に設けたガイドレール１３と、昇降フロア２０に設けたガイドローラ２５の組み合わせを採用する。
ガイドレール１３は、断面略Ｉ字形状の鋼材を採用する。ガイドレール１３は、フレーム１１の支柱１１ｂのうち任意の支柱１１ｂの内側に、支柱１１ｂの上下方向に沿って４本付設する。
ガイドローラ２５は、ガイドレール１３を三方向から囲むように配置したローラの組み合わせを採用する。ガイドローラ２５は、欄部２２上の、４本のガイドレール１３に対応した位置に４つ付設する。
昇降フロア２０の昇降時、ガイドローラ２５が、基台１０のガイドレール１３を三方からガイドすることによって、昇降フロア２０昇降時の揺れやがたつきをなくし、昇降フロア２０の昇降を円滑化させることができる。
また、昇降装置１の設置場所に勾配がある場合であっても、傾斜による昇降フロア２０の偏荷重をガイドレール１３が支持することで、昇降フロア２０を本来の昇降軌道に沿って精確に昇降させることができる。
なお、ガイド手段の構成や部材数は上記に限られない。
例えば、ガイドレール１３をガイドローラ２５によって四方向から囲む構成であれば、ガイドレール１３は１本であってもガイド機能を発揮できる。
また、ガイドレール１３は支柱１１ｂに付設せず、例えば上下の桁材１１ｃ間に独立して掛け渡してもよい。
要は昇降フロア２０の昇降軌道を基台１０の上下方向にガイドし、昇降フロア２０の水平方向の揺動を規制可能な構成であればよい。
【００２４】
＜７＞アジャスタ。
基台１０又は昇降フロア２０は、索状体４０の配設長さを調整するためのアジャスタ５０を備えていてもよい。
本発明の昇降装置１は、複数の索状体４０を介して昇降フロア２０を昇降する構成である。
しかし、各索状体４０に掛かる引張力は必ずしも同一ではないため、伸長によって索状体４０ごとの長さに若干の差が生じ、昇降フロア２０の円滑な昇降を阻害するおそれがある。
そこで、このような場合に、各索状体４０の長さをアジャスタ５０で個別に微調整することで、昇降作業の円滑性を確保することが可能となる。
本例では、アジャスタ５０として、索状体４０のワイヤエンドにネジ金具を接合し、これをターンバックルで繋いだいわゆるエンドクランプを採用する。エンドクランプの他端はフレーム１１の固定梁１１ｄとピン接合する。
ただしアジャスタ５０はエンドクランプに限らず、要は索状体４０の長さを調整できればよい。また、設置位置も索状体４０とフレーム１１の接続部に限らず、昇降フロア２０の欄部２２上や索状体４０の中間等に設置してもよい。
【００２５】
＜８＞組み合わせ滑車構造（図１）。
本発明の昇降装置１は、定滑車たる固定シーブ１２と動滑車たる可動シーブ２４の組み合わせ滑車構造を備える点に特徴を有する。
本例では、第一ドラム３２ａから第四ドラム３２ｄに接続する４本の索状体４０がそれぞれ２つの可動シーブ２４を経由する。従って、各索状体４０にかかる張力はそれぞれ１／２×１／２＝１／４（機械的倍率４）になるため、昇降手段３０が昇降フロア２０及びその積載物を略１／４の力で吊り上げることができる。
また、４本の索状体４０によって、昇降フロア２０を多点吊り（本例では８点吊り）する構成であるため、昇降フロア２０を安定して吊り上げることができる。
なお、固定シーブ１２と可動シーブ２４の数や組み合わせは、本実施例の記載に限られない。昇降手段３０の牽引能力と巻き上げ時間を勘案して、適宜の数及び組み合わせを選択することができる。
例えば、上述した実施例における複数の固定シーブ１２と複数の可動シーブ２４をそれぞれ左右２列配置とし、索状体４０をフレーム１１の中間部付近の固定シーブ１２で折り返し、索状体４０配設済みのシーブと隣り合う固定シーブ１２及び可動シーブ２４に連続して掛け渡してもよい。この場合、索状体４０の最終端はフレーム１１の前端部及び後端部の梁材１１ａ等に固定してもよい。
本例の場合、同一のシーブ配置間隔で機械的倍率を倍増し、索状体４０への張力をさらに減少させることで、昇降手段３０の更なる小型化を図ることができる。
【００２６】
＜９＞昇降作業（図４）。
基台１０内の低位置にある昇降フロア２０を高位置にリフトアップする例について説明する。
昇降フロア２０の欄部２２から、基台１０の最下段の桁材１１ｃ上に複数のアウトリガー２６のアームが張り出している。この状態では、昇降フロア２０の荷重（昇降フロア２０の自重及びフロア本体２１上の積載物の荷重）はアウトリガー２６を介して基台１０によって支持されている。
昇降手段３０のドラム部３２を回転駆動させることによって、基台１０前方２本、後方２本、計４本の索状体４０が同時に巻き上げられる。これによって、可動シーブ２４を介して昇降フロア２０が索状体４０に吊り上げられ、アウトリガー２６のアームが最下段の桁材１１ｃ上から浮き上がり地切りされる。この時点で昇降手段３０の駆動を一旦停止する。
中段の桁材１１ｃへの干渉を避けるために、アウトリガー２６のアームをフロア本体２１の内側へ短縮する（図４（ａ））。
再び昇降手段３０を駆動して、昇降フロア２０を高位置まで吊り上げる（図４（ｂ））。
複数のアウトリガー２６のアームを中段の桁材１１ｃ上に張り出す（図４（ｃ））。
昇降手段３０を僅かに巻き出して、アウトリガー２６を中段の桁材１１ｃ上に載せ、アウトリガー２６を介して昇降フロア２０の荷重を基台１０に受け替える。
昇降フロア２０をリフトダウンする場合には、以上の手順を逆に行えばよい。
本発明の昇降装置１は、基台１０前方に延出する索状体４０と後方に延出する索状体４０とを、ドラム部３２の同一方向に巻回しているため、相対する二方向に延出する索状体４０を一つの昇降手段３０で同調して巻き取り／巻き出しすることができる。
このように、複数の索状体４０の動きを機械的に同調させるため、昇降フロア２０の吊り点間の高さにずれが生じず、作動が円滑である。また、構成が単純なので製造コストが比較的安価な反面故障が少ない。
【符号の説明】
【００２７】
１      昇降装置
１０    基台
１１    フレーム
１１ａ  梁材
１１ｂ  支柱
１１ｃ  桁材
１１ｄ  固定梁
１２    固定シーブ
１２ａ  上固定シーブ
１２ｂ  下固定シーブ
１３    ガイドレール
１４    車輪
２０    昇降フロア
２１    フロア本体
２２    欄部
２４    可動シーブ
２５    ガイドローラ
２６    アウトリガー
３０    昇降手段
３１    駆動部
３２    ドラム部
３２ａ  第一ドラム
３２ｂ  第二ドラム
３２ｃ  第三ドラム
３２ｄ  第四ドラム
４０    索状体
５０    アジャスタ
【図１】
2020138829.tif 000003
【図２】
2020138829.tif 000004
【図３】
2020138829.tif 000005
【図４】
2020138829.tif 000006
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
建設工事用途の昇降装置であって、
枠状の基台であって複数の固定シーブを有する基台と、
前記基台内に昇降自在に配置した車両走行用の昇降フロアであって複数の可動シーブを有する昇降フロアと、
前記基台に付設した昇降手段であってドラム部を有する昇降手段と、
前記昇降フロアを吊下可能な複数の索状体であって一端を前記ドラム部に巻回した複数の索状体と、を備え、
前記複数の索状体の少なくとも１本を、前記ドラム部から前記基台の前方に延出し、前記複数の固定シーブ及び前記複数の可動シーブに掛けわたして前記基台又は前記昇降フロアに固定し、
前記複数の索状体の他の少なくとも１本を、前記ドラム部から前記基台の後方に延出し、前記複数の固定シーブ及び前記複数の可動シーブに掛けわたして前記基台又は前記昇降フロアに固定し、
前記昇降手段の駆動によって、前記複数の索状体を介して前記昇降フロアを昇降可能に構成し、
前記複数の可動シーブを、前記昇降フロアの幅方向両側に沿って前記昇降フロアの前後方向に複数配列したことを特徴とする、
昇降装置。
【請求項２】
前記基台の前方に延出する前記索状体と前記基台の後方に延出する前記索状体とを同一の前記昇降手段のドラム部に巻回し、前記基台の前方に延出する前記索状体の前記ドラム部への巻回方向が、前記基台の後方に延出する前記索状体の前記ドラム部への巻回方向と同一であることを特徴とする、請求項１に記載の昇降装置。
【請求項３】
前記昇降フロアの両側から外側方向又は前記基台の両側から内側方向へ突出可能な複数のアウトリガーを備え、突出した前記複数のアウトリガーを介して、前記昇降フロアの荷重を前記基台に伝達可能に構成したことを特徴とする、請求項１又は２に記載の昇降装置。
【請求項４】
前記索状体における前記基台若しくは前記昇降フロアへの固定端又は前記索状体の中間に、前記索状体の配設長さを調整可能なアジャスタを備えることを特徴とする、請求項１乃至３のいずれか一項に記載の昇降装置。
【請求項５】
前記基台及び／又は前記昇降フロアに、前記基台内における前記昇降フロアの水平方向の揺動を規制するガイド手段を備えることを特徴とする、請求項１乃至４のいずれか一項に記載の昇降装置。
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
建設工事用途の昇降装置であって、
枠状の基台であって複数の固定シーブを有する基台と、
前記基台内に昇降自在に配置した車両走行用の昇降フロアであって複数の可動シーブを有する昇降フロアと、
前記基台に付設した昇降手段であってドラム部を有する昇降手段と、
前記昇降フロアを吊下可能な複数の索状体であって一端を前記ドラム部に巻回した複数の索状体と、を備え、
前記複数の索状体の少なくとも１本を、前記ドラム部から前記基台の前方に延出し、前記複数の固定シーブ及び前記複数の可動シーブに掛けわたして前記基台又は前記昇降フロアに固定し、
前記複数の索状体の他の少なくとも１本を、前記ドラム部から前記基台の後方に延出し、前記複数の固定シーブ及び前記複数の可動シーブに掛けわたして前記基台又は前記昇降フロアに固定し、
前記昇降手段の駆動によって、前記複数の索状体を介して前記昇降フロアを昇降可能に構成し、
前記複数の可動シーブを、前記昇降フロアの幅方向両側に沿って前記昇降フロアの前後方向に複数配列し、
前記ドラム部、前記複数の固定シーブ、及び前記複数の可動シーブの軸方向が平行し、
前記固定シーブから前記可動シーブへ掛けわたす前記索状体の配設方向が、鉛直下方に対して両側に開いた吊り角度を構成することを特徴とする、
昇降装置。
【請求項２】
前記基台の前方に延出する前記索状体と前記基台の後方に延出する前記索状体とを同一の前記昇降手段のドラム部に巻回し、前記基台の前方に延出する前記索状体の前記ドラム部への巻回方向が、前記基台の後方に延出する前記索状体の前記ドラム部への巻回方向と同一であることを特徴とする、請求項１に記載の昇降装置。
【請求項３】
前記昇降フロアの両側から外側方向又は前記基台の両側から内側方向へ突出可能な複数のアウトリガーを備え、突出した前記複数のアウトリガーを介して、前記昇降フロアの荷重を前記基台に伝達可能に構成したことを特徴とする、請求項１又は２に記載の昇降装置。
【請求項４】
前記索状体における前記基台若しくは前記昇降フロアへの固定端又は前記索状体の中間に、前記索状体の配設長さを調整可能なアジャスタを備えることを特徴とする、請求項１乃至３のいずれか一項に記載の昇降装置。
【請求項５】
前記基台及び／又は前記昇降フロアに、前記基台内における前記昇降フロアの水平方向の揺動を規制するガイド手段を備えることを特徴とする、請求項１乃至４のいずれか一項に記載の昇降装置。